(57)【特許請求の範囲】
【請求項１】
ラッセル機により編成され、１枚以上の地筬により導糸される非弾性糸と、他の１枚以上の地筬により導糸される弾性糸とにより地編が編成されるとともに、柄筬により導糸される柄糸により任意の柄が構成されてなる経編地において、
前記地編の弾性糸とは別に追加の弾性糸が、複数枚の柄筬により導糸されて挿入編成されることにより、使用上において求められる部分に、伸長性や伸縮力等の伸縮機能を他部分とは異にする伸縮機能付加部が少なくとも一つ形成され、各伸縮機能付加部を形成する前記複数枚の柄筬により導糸される追加の弾性糸の少なくとも一部が３ウエール以上に渡って横振り挿入されており、各伸縮機能付加部の所要の個所において、前記複数枚の柄筬による追加の弾性糸の横振り挿入の振り幅及び振り位置がそれぞれ個々に変化せしめられることにより、使用上の要求に応じて、伸縮機能付加部において伸縮機能及び形状が変化せしめられてなることを特徴とする部分伸縮変化ラッセルレース編地。
【請求項２】
前記伸縮機能付加部においてソフトな伸縮性が求められる部分では、柄筬により導糸される前記追加の弾性糸が、該伸縮機能付加部の最大幅のウエール数より少ない本数よりなり、かつ少なくとも一部において同一コース内及び隣接コースとの間でウエール間の横振り部分同士の重なりが生じないように挿入編成されてなる請求項１に記載の部分伸縮変化ラッセルレース編地。
【請求項３】
前記伸縮機能付加部においてソフトな伸縮性が求められる部分では、少なくとも一部において、柄筬により導糸される前記追加の弾性糸が、横振り部分と横振り部分の間に、横振りしない１〜５コース分の間隔をあけて横振り挿入されてなる請求項１又は２に記載の部分伸縮変化ラッセルレース編地。
【請求項４】
柄筬により導糸される前記追加の弾性糸が弾性カバーリング糸である請求項１〜３のいずれか１項に記載の部分伸縮変化ラッセルレース編地。
【請求項５】
ジャカード筬を備えるラッセル機により編成され、前記地編の弾性糸に加えて、さらに別の弾性カバーリング糸がジャカード筬により挿入されることにより、地編部分がネット状又は無地状に形成され、経緯の伸縮性が付与されてなる請求項１〜４のいずれか１項に記載の部分伸縮変化ラッセルレース編地。
【請求項６】
前記伸縮機能付加部が、編方向に連続もしくは一部で断続して延びる帯状、又は小柄模様の集合の繰り返しもしくは連続状、又は幾何学柄の少なくとも一種をなすように形成されてなる請求項１〜５のいずれか１項に記載の部分伸縮変化ラッセルレース編地。
【請求項７】
ラッセル機により、１枚以上の地筬により非弾性糸を導糸し、他の１枚以上の地筬により弾性糸を導糸して、地編の組織を編成するとともに、柄筬により柄糸を導糸して任意の柄を構成するように編成する経編地の製造方法において、
前記地編の弾性糸とは別に追加の弾性糸を、複数枚の柄筬により導糸して挿入編成することにより、使用上において求められる部分に、伸長性や伸縮力等の伸縮機能を他部分とは異にする伸縮機能付加部を少なくとも一つ形成するとともに、各伸縮機能付加部を形成する複数枚の柄筬により導糸する追加の弾性糸の少なくとも一部を任意のコース位置で３ウエール以上に渡って横振り挿入して編成し、使用上において求められる伸縮機能に応じて、任意のコース位置で複数枚の柄筬による追加の弾性糸の横振り挿入の振り幅及び振り位置をそれぞれ個々に変化させることにより、前記伸縮機能付加部において伸縮機能及び形状を変化させるように編成することを特徴とする部分伸縮変化ラッセルレース編地の製造方法。
【発明の詳細な説明】
【技術分野】
【０００１】
本発明は、伸縮性を有する経編地、特に女性用下着等の各種衣料に使用される部分伸縮変化ラッセルレース編地及びその製造方法に関するものである。
【背景技術】
【０００２】
従来より、例えば、ショーツ、ガードル、ブラジャー等のファンデーション、スリップ、キャミソール等のランジェリーその他の女性用下着、ボディスーツ、水着、レオタード等のスポーツウエアその他のアウター等の各種衣料においては、経編編成によるレース編地等の伸縮性を有する経編地の使用が多くなっている。
【０００３】
かかる経編地において、その基本となる地編の組織を、鎖編糸と挿入糸によるサテン編、パワーネット編、デンビ編、チュール編あるいはメッシュ状の編組織にして、この編組織の編成に弾性糸を用いて編成することにより、編地全体に伸長性や伸縮性を付与し、これに柄筬による通常のレース柄やジャカード筬によるジャカードレース柄を付加して構成したものが一般的である。
【０００４】
ところで、従来の前記伸縮性の経編地は、編地全体に弾性糸が挿入されて略一様な伸長性や伸縮力を有するものであり、この経編地を使用して作ったガードルやブラジャー等の衣類を着用した場合に、フィット性はある程度はよいものの、体型に応じて部分的に大きい伸長性を得ることができず、また伸縮力による体型補整機能にも乏しものであった。そのため、前記衣類の使用においては、部分的に大きい伸長性や伸縮力（パワー）を持たせて体型補整機能を発揮させるために、別の伸縮性生地を当て布等として縫製していた。
【０００５】
しかしながら、別の伸縮性生地を当て布にして部分的に伸縮力を大きくした衣類は、当て布が存在する部分と存在しない部分との境界部に、厚みの違いによる段差があらわれ、それがアウターウエアの外側からも視覚でき、外観的体裁を著しく低下させるという問題があった。また縫合部が硬くなって肌触りが悪くなり、着用者に不快感を与えるという問題もあった。
【０００６】
そのため、近年、レース編地等の伸縮性の経編地において、当て布を使用することなく、部分的に伸長性や伸縮力等の伸縮機能を高めることが提案されている。
【０００７】
例えば  特許文献１には、非弾性糸と弾性糸とによりジャカード編される経編地からなる衣類において、伸縮力の強弱の要求に応じて、地編の表側に現れる編組織を切り替えによる組織変化により、さらには地編組織の変化とともに該地編の編成に使用する弾性糸として太い糸や２本揃えの糸を使用することにより、伸縮力の強い部分を形成し、この強い伸縮力の部分をカーブさせた帯状等のパターン形状とすることが提案されている。
【０００８】
しかしながら、前記特許文献１の場合は、基本的に地編組織の変化により伸縮力に差をつけるものであるため、地編の編成に使用する弾性糸の糸使いを変えることにより伸縮力を強くすることはできても、伸長性の変化には限度があり、高伸縮性部分は低伸縮性部分に比してそれほど大きな伸長性、特にソフトで大きな伸長性を得ることができないものである。また、前記高伸縮性部分のパターンはカーブをするにしても一定幅での帯状をなすものでしかなく、部分的に締め付けが強くなり過ぎることもあり、体型補整機能上は充分に満足できるものとは言えない。
【０００９】
さらに、本出願人においても、経編編成による伸縮性を有するレース編地として、所定幅の部分に伸縮性糸を追加的に挿入することにより、伸長性や伸縮力を強化した帯状の強化伸縮部を設けるとともに、この強化伸縮部を、編方向に対して衣類での使用態様に応じて所定のカーブや折れ曲がり等を少なくとも一部に有する形状にして、体型に応じた補整機能を持たせることを提案している（特許文献２）。
【００１０】
しかし、この提案の編組織は、図１６に例示するように、鎖編の非伸縮性糸１０１と該鎖編を結合する挿入糸１０２により基本組織を編成するとともに、編地全体に伸縮性を付与するための弾性糸１０３を各ウエールに沿って挿入した編地において、帯状の強化伸縮部１２０を形成するために、編地全体に挿入する地編１１０の弾性糸１０３とは別に追加の弾性糸Ｙ’を地筬により導糸して所定部分に挿入するものである。すなわち、編方向の全長に渡って同幅で、かつ全長に渡って同じような伸長性や伸縮力を有するものであり、これらの伸縮機能の強弱あるいは形状を変化させるようにはなっていない。
【００１１】
そのため、女性用下着等の衣類での使用においては、前記強化伸縮部の伸長性や伸縮力等の伸縮機能が体型に対して部分的に強くなりすぎることがあり、また、前記強化伸縮部の形状も過不足が生じることがあって、体型に応じたソフトな感触の伸縮機能が要求される場合等、使用上は充分に満足できないものであった。
【特許文献１】特許第３０２３３５４号公報
【特許文献２】特開２００１−３０３４１４号公報
【発明の開示】
【発明が解決しようとする課題】
【００１２】
本発明は、上記に鑑みてなしたものであり、編地全体として伸縮性を有しかつ柄が構成された経編地で、衣類等の使用上において求められる部分に、伸長性や伸縮力（パワー）等の伸縮機能を他部分とは異にする伸縮機能付加部を設けたものにおいて、この伸縮機能付加部の伸長性や伸縮力等の伸縮機能や形状を適宜変化させたものとすることができ、伸縮機能をソフトに構成することも容易なラッセルレース編地、及び該レース編地を得るための製造方法を提供するものである。
【課題を解決するための手段】
【００１３】
上記の課題を解決する本発明の部分伸縮変化ラッセルレース編地は、ラッセル機により編成され、１枚以上の地筬により導糸される非弾性糸と、他の１枚以上の地筬により導糸される弾性糸とにより地編が編成されるとともに、柄筬により導糸される柄糸により任意の柄が構成されてなる経編地において、前記地編の弾性糸とは別に追加の弾性糸が、複数枚の柄筬により導糸されて挿入編成されることにより、使用上において求められる部分に、伸長性や伸縮力等の伸縮機能を他部分とは異にする伸縮機能付加部が少なくとも一つ形成され、各伸縮機能付加部を形成する前記複数枚の柄筬により導糸される追加の弾性糸の少なくとも一部が３ウエール以上に渡って横振り挿入されており、各伸縮機能付加部の所要の個所において、前記複数枚の柄筬による追加の弾性糸の横振り挿入の振り幅及び振り位置がそれぞれ個々に変化せしめられることにより、使用上の要求に応じて、伸縮機能付加部において伸縮機能及び形状が変化せしめられてなるものである。
【００１４】
このレース編地によれば、伸縮機能付加部を構成するために挿入される追加の弾性糸が、地編組織を編成する地筬とは別の柄筬により導糸されて挿入編成されるものであるため、この追加の弾性糸については複数枚の柄筬によりそれぞれ横振り挿入の振り幅及び振り位置を地編組織とは関係なく任意に変化させるように編成でき、他の地編部分より伸縮機能を増大させるための該伸縮機能付加部の伸縮機能や形状を使用上の要求に応じて変化させることが問題なく可能になり、特に、伸縮性を段階的に変化させたり、緯方向（編幅方向）で部分的に大きな伸長性を得ることも可能になる。そのため、女性用下着あるいはアウター等の衣類での使用において、体型に対応した伸縮機能付加部を形成でき、良好な体型補整機能を発揮できるものとなる。さらに、前記伸縮機能付加部を構成する追加の弾性糸が３ウエール以上に渡る横振り挿入部分を含むように編成されることにより、部分的に例えば緯方向に大きな伸長性やソフトな伸縮性を保有させることができる。また、前記伸縮機能付加部の形状の変化を利用して、一種の柄効果を呈するものとすることができる。
【００１５】
前記伸縮機能付加部においてソフトな伸縮性が求められる部分では、柄筬により導糸される前記追加の弾性糸が、該伸縮機能付加部の最大幅のウエール数より少ない本数よりなり、かつ少なくとも一部において同一コース内及び隣接コースとの間でウエール間の横振り部分同士の重なりが生じないように挿入編成されてなるものとすることができる。これにより、伸縮機能付加部の中の必要な部分に例えば緯方向に大きな伸長性やソフトな伸縮性を付与することができる。
前記伸縮機能付加部においてソフトな伸縮性が求められる部分では、少なくとも一部において、柄筬により導糸される前記追加の弾性糸が、横振り部分と横振り部分の間に、横振りしない１〜５コース分の間隔をあけて横振り挿入されてなるものとすることができる。
【００１６】
前記のレース編地において、前記柄筬により導糸される前記追加の弾性糸が弾性カバーリング糸であるものが好ましい。これにより、前記追加の弾性糸が表面に現れることになっても、問題なく染色でき、風合いも良好で、女性用下着等の衣類での使用が問題なく可能になる。
【００１７】
前記のレース編地において、ジャカード筬を備えるラッセル機により編成され、前記地編の弾性糸に加えて、さらに別の弾性カバーリング糸がジャカード筬により挿入されることにより、地編部分がネット状又は無地状に形成されて、経緯の伸縮性が付与されてなるものとすることができる。
【００１８】
前記のレース編地において、前記伸縮機能付加部が、編方向に連続もしくは一部で断続して延びる帯状、小柄模様の集合の繰り返しもしくは連続状、又は幾何学柄の少なくとも一種をなすように形成されてなるものとすることができる。
【００１９】
また、本発明は、前記の部分伸縮変化ラッセルレース編地の製造方法として、ラッセル機により、１枚以上の地筬により非弾性糸を導糸し、他の１枚以上の地筬により弾性糸を導糸して、地編の組織を編成するとともに、柄筬により柄糸を導糸して任意の柄を構成するように編成する経編地の製造方法において、前記地編の弾性糸とは別に追加の弾性糸を複数枚の柄筬により導糸して挿入編成することにより、使用上において求められる部分に、伸長性や伸縮力等の伸縮機能を他部分とは異にする伸縮機能付加部を少なくとも一つ形成するとともに、各伸縮機能付加部を形成する複数枚の柄筬により導糸する追加の弾性糸の少なくとも一部を任意のコース位置で３ウエール以上に渡って横振り挿入して編成し、使用上において求められる伸縮機能に応じて、任意のコース位置で複数枚の柄筬による追加の弾性糸の横振り挿入の振り幅及び振り位置をそれぞれ個々に変化させることにより、前記伸縮機能付加部の伸縮機能及び形状を変化させるように編成することを特徴とする。
【００２０】
これにより、前記伸縮機能付加部を形成する複数枚の柄筬による前記追加の弾性糸それぞれの振り幅及び振り位置を、地編組織とは関係なく３ウエール以上に渡る横振り部分を含めて任意に変化させるように編成でき、他の地編部分より伸縮機能を強化するための該伸縮機能付加部の伸縮機能や形状を、使用上の要求に応じて変化させながら編成することが問題なく可能になる。すなわち、複数枚の柄筬により導糸して挿入する前記追加の弾性糸それぞれの横振り幅や横振り位置の変化により、伸縮機能付加部の伸縮性を段階的に変化させたり、部分的に大きな伸長性を持たせることもできる。そのため、上記した効果を呈する経編地を問題なく得ることができる。
【発明の効果】
【００２２】
本発明の部分伸縮変化ラッセルレース編地及びその製造方法によれば、基本的に伸縮性を有する経編地で、使用上において求められる部分に、伸長性や伸縮力等の伸縮機能を増大させるための伸縮機能付加部を、地編の弾性糸とは別に追加の弾性糸の挿入編成により形成したものにおいて、地編の組織を変更することなく、該伸縮機能付加部の伸縮機能の強弱や形状を、使用上の要求に応じて適宜変化させることができ、任意の伸縮機能を有しかつ任意の形状をなす伸縮機能付加部を形成できる。そのため、衣類等での使用においては、体型に適合した過不足のない伸縮機能を持たせることができる。また、部分的に大きな伸長性やソフトな伸縮性を付与することもでき、該伸縮機能付加部を体型にフィットさせ易く、かつ体型補整の効果をさらに高めることができる。
【発明を実施するための最良の形態】
【００２３】
次に、本発明の実施の形態を図面に示す実施例に基づいて説明する。
【００２４】
図１は本発明の１実施例の部分伸縮変化ラッセルレース編地を示す一部の略示平面図である。図２は同上のレース編地の一部の編組織図である。図３は同上の編組織の一部の柄糸導糸用の柄筬を除く各筬の分解したラッピング状態の組織図である。
【００２５】
本発明にかかるレース編地Ａは、地編を編成する地筬とは別に柄編成のための複数枚の柄筬を備えるラッセル機、特には数十枚の柄筬、多い場合は９０枚を越える多数枚の柄筬を備える所謂マルチバーラッセル機により編成される。あるいは、前記の他にジャカード装置により運動が制御される少なくとも１枚のジャカード筬を備えるマルチバーラッセル機により編成される。
【００２６】
すなわち、本発明のレース編地Ａは、前記のラッセル機により、基本的に１枚以上の地筬により非弾性糸が導糸され、他の１枚以上の地筬により弾性糸が導糸され、さらに複数枚の柄筬により所要数の柄糸が導糸されて、図１のように編地全体として伸縮性を有する地編１０が編成されるとともに、任意の柄１２を構成するように編成される。そして、前記レース編地Ａの使用上において求められる所定の部分に、前記地編１０の弾性糸とは別に追加の弾性糸が、前記柄糸を導糸する柄筬を除く他の複数枚の柄筬により導糸されて横振り挿入されることにより、伸長性や伸縮力等の伸縮機能を他部分とは異にする（他部分に対し緯方向の伸縮機能を増大させる）伸縮機能付加部２０が形成されている。
【００２７】
図２は前記レース編地Ａの編組織の１例を示している。この図２の例では、１枚の地筬Ｌ１によりで導糸される非弾性糸よりなる鎖編等をする編目形成糸１と、他の１枚の地筬Ｌ２により導糸される非弾性糸よりなる挿入糸２とにより、無地状の地編１０の基本の組織が編成されるとともに、この地編１０の基本組織に対して、他の１枚の地筬Ｌ３により導糸されるポリウレタン繊維等の弾性糸３が、編地全体の各ウエールＷに対し該ウエールに沿って挿入編成されることにより、編地全体として少なくとも経方向に伸縮性を有する地編１０が編成されている。さらに、この図２では図示を省略しているが、従来の柄編成と同様に、前記のように２枚以上の柄筬、好ましくは数十枚あるいはそれ以上にもなる多数枚の柄筬により、柄に応じた所定部分に導糸される複数本（通常、数十本）の柄糸により、任意の柄（図１参照）を形成するように編成される。
【００２８】
そして、前記のレース編地Ａにおいて、衣類等の使用上において求められる所定の部分に、編地全体に配される地編１０の弾性糸３とは別に、これに追加して、弾性カバーリング糸等の弾性糸Ｙ、例えば図２のように３本の弾性糸Ｙ１，Ｙ２，Ｙ３が、それぞれ多数枚の柄筬のうちの柄糸を導糸するものを除く他の複数枚の柄筬Ｐ１，Ｐ２，Ｐ３により１本ずつ個別に導糸されて、少なくとも一部において３ウエール以上に渡る横振り挿入部分を含むように横振り挿入されて編成されることにより、伸縮機能を他部分とは異にする伸縮機能付加部２０が形成されている。この伸縮機能付加部２０は、前記追加の弾性糸Ｙ（Ｙ１，Ｙ２，Ｙ３）の横振り挿入により、他の地編の生地部分に対して主として緯方向の伸長性や伸縮力等の伸縮機能を増大させることになる。
【００２９】
また、図３は、前記レース編地Ａをジャカード筬Ｌ２を備えるマルチバーラッセル機により編成する場合を分解して示している。この図３においても、多数枚の柄筬のうちの柄糸を導糸する柄筬を省略して図示している。
【００３０】
図３の場合、１枚の地筬Ｌ１により導糸される非弾性糸よりなる編目形成糸１の組織に対し、ジャカード筬Ｌ２により導糸される非弾性糸よりなる挿入糸２が、ジャカード制御されながら横振り挿入されることにより、無地状あるいはネット状やメッシュ調等の地編１０の基本となる組織が編成されるとともに、さらに、他の地筬Ｌ３により導糸されるポリウレタン糸等の弾性糸３が、前記基本組織の各ウエールに沿って挿入されることにより、編地全体として経方向に伸縮性を有する地編１０が編成される。また、図示していないが、従来同様に多数枚の柄筬により柄糸が導糸されて所望の柄が形成される。
【００３１】
なお、前記の基本組織の編成において、前記ジャカード筬Ｌ２による挿入糸２の挿入形態を、ジャカード制御により変化させることにより、大小のネット状、あるいは穴地、薄地、厚地等の組合せによるジャカードレース柄を形成することができる。前記地筬Ｌ３の弾性糸３についても、図３の組織には限らず、図４（ａ）又は（ｂ）に例示するように、所要のコースで横振りする組織での編成も可能である。図４の組織の場合、編成される編地は緯方向の伸縮性をも有するものになる。前記地筬Ｌ３の弾性糸３は、基本的には前記柄筬より後側に配される地筬により導糸されて編成される。
【００３２】
そして、前記のように編成されるレース編地Ａにおいて、衣類等の使用上において求められる所定の部分に、編地全体に配される地編１０の弾性糸３とは別に、これに追加して、弾性カバーリング糸等よりなる複数本の弾性糸Ｙ１，Ｙ２，Ｙ３が、多数枚の柄筬のうちの柄糸を導糸する柄筬を除く複数枚、例えば図のように３枚の柄筬Ｐ１，Ｐ２，Ｐ３により導糸されて、それぞれ前記地編１０の組織に対し３ウエール以上に渡る横振り挿入部分を含むように横振り挿入されて編成されることにより、伸長性や伸縮力等の伸縮機能を地編１０のみの他部分とは異にする伸縮機能付加部２０が形成されることになる。この場合も、前記伸縮機能付加部２０は、前記追加の弾性糸Ｙ（Ｙ１，Ｙ２，Ｙ３）の横振り挿入により、主として他部分に対して緯方向の伸長性や伸縮力等の伸縮機能を増大させるとともに、該伸縮機能機能付加部２０の所要の個所において、複数枚の柄筬による追加の弾性糸の横振り挿入の振り幅及び振り位置をそれぞれ適宜個々に変化させることにより、該伸縮機能付加部２０の伸縮機能や形状を部分的に異ならせることができ、特には経緯の少なくとも一方向、例えば緯方向において部分的に伸縮機能を異ならせることができる。
【００３３】
本発明の部分伸縮変化ラッセルレース編地Ａにおいては、前記伸縮機能付加部２０を形成する前記追加の弾性糸Ｙ、すなわち複数枚の柄筬Ｐ１，Ｐ２，Ｐ３により導糸される追加の弾性糸Ｙ１，Ｙ２，Ｙ３について、それぞれ編方向の所要のコースにおいて３ウエール以上に渡る横振り挿入部分を含むように編成されている。さらに好ましくは、ソフトな伸縮性が求められる部分では、柄筬により導糸される前記追加の弾性糸Ｙ１，Ｙ２，Ｙ３が、該伸縮機能付加部２０の最大幅のウエール数より少ない本数よりなり、かつ少なくとも一部において同一コース及び隣接コースとの間でウエール間の横振り部分同士の重なりが生じないように挿入編成されている。これにより、伸縮機能付加部２０は、部分的に、例えば緯方向の伸長性を大きく且つ緊迫力を小さくされ、ソフトな伸縮機能を呈するものとなる。
【００３４】
例えば、前記追加の各弾性糸Ｙ１，Ｙ２，Ｙ３について、ウエール方向において毎コース横振りさせるのではなく、後述する図９や図１２の編組織の例に示すように、ウエール方向に横振り部分同士の間に１コース以上、好ましくは１〜５コース程度の間隔を空けて横振りさせるようにして、該横振り部分の密度を小さくすることにより、前記のようにソフトな伸縮機能を有するものとすることができる。
【００３５】
したがって、前記追加の弾性糸Ｙ（Ｙ１，Ｙ２，Ｙ３）それぞれの柄筬による横振り挿入の横振り幅、横振り位置、ウエール間の横振り部分の間隔や重なり等の変化や組み合わせにより、前記伸縮機能付加部２０において伸縮機能及び形状を変化させることができ、編幅方向において部分的に伸縮機能を変化させることもできる。そのため、使用上の要求に対応したものとなるように構成できることになる。特には、前記伸縮機能付加部２０の伸縮機能や形状を段階的に変化せしめることもできる。
【００３６】
すなわち、前記追加の弾性糸Ｙ１，Ｙ２，Ｙ３については、それぞれ別の柄筬Ｐ１，Ｐ２，Ｐ３により導糸して編成することにより、各柄筬Ｐ１，Ｐ２，Ｐ３の運動、つまり編針列に沿う方向のショグ運動を適宜制御することにより、その横振り挿入の振り幅および振り位置をコース毎に任意に設定できる。例えば、振り幅については、１ウエールに沿って横振りせずに挿入する場合、隣接する２ウエールに渡って横振り挿入する場合、３ウエールあるいはそれ以上に渡って横振り挿入する場合等をコース毎に適宜選択でき、またその振り位置についてもコース毎に設定し変化させることができる。
【００３７】
そのため、前記追加の弾性糸Ｙ（Ｙ１，Ｙ２，Ｙ３）のそれぞれの挿入状態の変化、つまり振り幅や振り位置等の変化を適宜組み合わせることにより、前記伸縮機能付加部２０の伸長性や伸縮力等の伸縮機能及び／又は幅等の形状を、使用態様に適応するよう任意に、かつ必要に応じて段階的に変化させることができる。形状については実質的に無段階に変化させることもできる。
【００３８】
例えば、伸長性や伸縮力等の伸縮機能については、前記追加の弾性糸Ｙの横振り幅が大きくなるほど編幅方向の伸長性が増し、また隣接するウエール間でのウエール間の横振り部分の重なりが少ない（間隔が大きい）ほどソフトな伸縮性が得られる。また、横振り挿入の密度が低い場合ほどソフトな伸縮性が得られる。従って、図２や図３にも示すように、特にソフトな伸縮性が求められる部分では、前記追加の弾性糸Ｙ（Ｙ１，Ｙ２，Ｙ３）を、前記伸縮機能付加部２０の最大幅のウエール数よりも少ない本数にして、ウエール間の横振り部分の重なりが生じないようにウエール方向の１コース以上の間隔を空けて挿入編成し、横振りの挿入の密度を低くすればよい。また、強い伸縮力が求められる部分では、前記ウエール間の横振り部分の重なりを多くするか、あるいは横振り挿入の密度を高くすればよい。
【００３９】
前記追加の弾性糸Ｙの本数は、得ようとする伸縮機能等に応じて適宜設定できるが、特にソフトな伸縮性が求められる部分では、前記伸縮機能付加部２０の最大幅のウエール数よりも少ない本数がよく、好ましくは前記最大幅のウエール数の２／３より少ない本数、さらに好ましくは１／２よりも少ない複数本とするのがよい。
【００４０】
また、前記伸縮機能付加部２０の形状については、略一定幅で編方向に連続もしくは一部で断続して延びる帯状のほか、大きくカーブした帯状、波形状やジグザグ状に屈曲した帯状、さらにこれらの帯状で幅を変化させたもの、小柄模様の集合の繰り返しもしくは連続状をなすもの、又は幾何学柄をなすもの等、種々の形状に形成できる。なお、前記の伸縮機能をこの形状の変化に対応して種々変化させることができる。
【００４１】
図５、図６、図８、図１０、図１１は、それぞれ伸縮機能や形状を変化させた伸縮機能付加部２０の例を略示的に示している。これらいずれも伸縮力の違いを濃淡であらわし、濃い部分のほうが伸縮力の強い部分を示している。
【００４２】
例えば、図５においては、地編１０の部分より伸縮機能を増大させた前記伸縮機能付加部２０の形状を変化させた場合を示している。図６は、前記伸縮機能付加部２０を、略同じ伸縮機能を有する３条の帯状部分２０ａ，２０ｂ，２０ｃに分離して並列させ、かつ各帯状部分２０ａ，２０ｂ，２０ｃを編方向に断続させるように編成して、全体として帯状に構成した場合を示している。図７は、図６中の破線で囲んだ部分の追加の弾性糸Ｙ（Ｙ１，Ｙ２；Ｙ３，Ｙ４；Ｙ５，Ｙ６）の柄筬Ｐ１，Ｐ２，Ｐ３，Ｐ４，Ｐ５，Ｐ６によるラッピング組織を示し、前記各帯状部分２０ａ，２０ｂ，２０ｃを、それぞれ２本の追加の弾性糸Ｙ（Ｙ１，Ｙ２；Ｙ３，Ｙ４；Ｙ５，Ｙ６）により構成するとともに、該弾性糸Ｙを一部で横振りせずに同一ウエールに沿って挿入することにより編方向に断続させている。
【００４３】
図８は、前記伸縮機能付加部２０を編方向に連続する帯状にして、その中で部分的に伸長性や伸縮力等の伸縮機能を段階的に変化させた場合を示している。すなわち、最も伸縮力の強い部分２１ａ、次に伸縮力の強い部分２１ｂ、伸縮力の弱い部分（ソフトな部分）２１ｃの３段階に変化させるともとに、その形状を変化させた場合を示している。図９は図８中の破線で囲んだ部分の追加の弾性糸Ｙ（Ｙ１，Ｙ２，Ｙ３，Ｙ４）の柄筬Ｐ１，Ｐ２，Ｐ３，Ｐ４によるラッピング組織を示し、最も伸縮力の強い部分２１ａでは弾性糸Ｙ３を毎コース横振りすることにより横振り挿入の密度を高くし、次に伸縮力の強い部分２１ｂでは前記弾性糸Ｙ２，Ｙ３を２コース毎に横振りし、さらに伸縮力の弱い部分２１ｃでは前記弾性糸Ｙ１，Ｙ３，Ｙ４等を３コース毎に横振りするようにして、横振り挿入の密度を変化させ、さらに各弾性糸Ｙ（Ｙ１，Ｙ２，Ｙ３，Ｙ４）の横振り幅や振り位置を変化させている。
【００４４】
図１０は、星形の小柄模様２２ａ，２２ｂを２列の連続状に形成することにより、実質的に帯状をなす伸縮機能付加部２０を構成した場合を示している。
【００４５】
図１１は前記伸縮機能付加部２０を幾何学柄をなすように構成した場合を示している。また、図１２は図１１中の破線で囲んだ部分の追加の弾性糸Ｙ（Ｙ１，Ｙ２，Ｙ３，Ｙ４，Ｙ５，Ｙ６）の柄筬Ｐ１，Ｐ２，Ｐ３，Ｐ４，Ｐ５，Ｐ６によるラッピング組織を示し、該弾性糸を毎コース横振りする部分と、２コース毎に横振りする部分とにより伸縮力に強弱をつけている。
【００４６】
このようにして前記伸縮機能付加部２０の伸長性や伸縮力等の伸縮機能及び／形状を、ブラジャー及びショーツやガードル等の女性用下着その他の各種の衣類での使用態様において、体型に応じた形状をなしてかつ伸長性や伸縮力等の伸縮機能を有するものとすることができる。
【００４７】
例えば、前記レース編地Ａにより図１３に示すブラジャーを作成する場合において、前記伸縮機能付加部２０を、カップ部１５の下縁に沿ったカーブ形状に形成するとともに、該伸縮機能付加部２０の伸長性や伸縮力等の伸縮機能及び／又は形状をバストの形態に応じて変化させることができる。これにより、良好なバストアップ機能を発揮することができる。また、この伸縮機能付加部２０の伸縮力を利用することにより、別生地を縫着する場合の段差をなくすことができる。また、ブラジャーの締め付け布の部分１６にも前記の伸縮機能付加部２０を設定することができる。
【００４８】
また、図１４の（ａ）や（ｂ）のように、前記レース編地Ａによりショーツやガードルを作成する場合において、そのヒップ部１７の下部に相当するラインに沿って所定のカーブをなし、さらに腰脇部１８に向かって延びる形状の伸縮機能付加部２０を形成するとともに、該伸縮機能付加部２０の伸長性や伸縮力等の伸縮機能及び／又は形状をヒップの形態に応じて変化させることができる。これにより、ヒップの体型に適応した良好なヒップアップ機能を持たせることができる。
【００４９】
前記のレース編地Ａにおいて、前記伸縮機能付加部２０の構成のために柄筬により導糸される追加の弾性糸Ｙとしては、種々の弾性糸を用いることができるが、実施上は、該弾性糸が柄糸と同様に編地の表側に現れることから、各種の弾性カバーリング糸、例えばポリウレタン糸を芯糸にしてナイロン加工糸を２重にカバーリングした弾性カバーリング糸が好適に用いられる。
【００５０】
また、地編１０の組織を編成する非弾性糸としては、ナイロン糸その他の各種の合成繊維糸あるいはウール、絹、綿等の天然繊維糸を使用できる。地編の弾性糸３としては、ポリウレタン糸等の各種の弾性糸を使用できる。糸の繊度については、編地の用途に応じて適宜設定できる。
【００５１】
上記したレース編地Ａは、多数枚の柄筬を備えるマルチバーラッセル機、あるいはジャカード筬を備えるマルチバーラッセル機により、上述したように図３に例示する組織のように編成する。
【００５２】
すなわち、少なくとも１枚の地筬Ｌ１により非弾性糸よりなる編目形成糸１を主としてオールインで導糸して所要コース毎に左右交互に隣接ウエールに移行させて編目形成する編成を繰り返して各ウエールの編目列を編成し、他の１枚の地筬、例えばジャカード筬Ｌ２により非弾性糸よりなる挿入糸２を主としてオールインで導糸して、前記編目列に対して所要コース毎に横振り挿入して編成することにより、無地あるいはメッシュ調等の地編１０の基本の組織を編成する。さらに、他の地筬Ｌ３によりポリウレタン糸等の弾性糸３を主としてオールインで導糸して、前記基本組織の各ウエールＷに沿って挿入することにより、編地全体として経方向に伸縮性を有する地編１０を編成する。同時に、従来同様に多数枚の柄筬（図示省略）により必要な本数の柄糸を所要数本（例えば１本）ずつ導糸して所望の柄を形成する。
【００５３】
さらに、前記地編１０の編成と同時に、衣類等の使用上において求められる所定の部分において、弾性カバーリング糸よりなる複数本、例えば３本の追加の弾性糸Ｙ１，Ｙ２，Ｙ３を、前記柄糸を導糸する柄筬を除く例えば３枚の柄筬Ｐ１，Ｐ２，Ｐ３により各々導糸して、地編の組織に対して横振り挿入することにより、主として縦方向の伸縮性を有する他部分に対し緯方向の伸長性や伸縮力等の伸縮機能を異にする伸縮機能付加部２０を形成する。特に、この追加の弾性糸Ｙ１，Ｙ２，Ｙ３の編成において、それぞれ編方向の任意のコースで３ウエール以上に渡って横振り挿入させるとともに、少なくとも一部の部分でウエール間の横振り部分の重なりが生じないように挿入編成し、さらに所要の個所で複数の追加の弾性糸Ｙ１，Ｙ２，Ｙ３それぞれの横振り挿入の振り幅、振り位置等を組み合わせて変化させることにより、該伸縮機能付加部２０において伸縮機能及び形状を変化させる。これにより図５〜図１２に示す種々の形態の伸縮機能付加部２０を形成できる。
【００５４】
こうして得られたレース編地Ａは、前記伸縮機能付加部２０の伸縮機能や形状を使用上の要求に応じたものとすることができ、特に、段階的に変化させたり、部分的に大きな伸長性を得ることもできるため、図１３のようなブラジャー、図１４のようなショーツやガードル等の女性用下着等の使用において、体型に対応した伸縮機能付加部２０を形成でき、良好な体型補整機能を発揮できるものとなる。
【００５５】
なお、前記の地編１０の基本組織としては、図示する実施例のものに限らず、サテン編、デンビ編、プレーンコード編等の種々の編組織による実施が可能である。また組織を変化させることも可能である。
【００５６】
また、前記の編成において、前記地編１０のウエールに沿って挿入される弾性糸３に加えて、さらに別の筬、例えばジャカード筬Ｌ２により弾性カバーリング糸を横振り挿入することにより、地編１０の部分がネット状又は無地状に形成できて、かつ編地全体に縦横の伸縮性を付与できることになる。
【００５７】
さらに、一つのレース編地Ａの中に、幅方向に間隔をおいて複数個所の同形の伸縮機能付加部２０を形成することもでき、この場合、前記追加の弾性糸をその形成位置に合わせて柄筬により導糸して上記同様に編成すればよい。
【００５８】
（実施例）
ジャカード筬を備えるラッセル機を用い、地筬Ｌ１に４４dtex／５１ｆのナイロン糸を使用して、０，２／２，０／・・・の鎖編組織で編成し、またジャカード筬Ｌ２に４４dtexのポリウレタン糸を芯糸にして、１７dtex／６ｆのナイロン加工糸を２重巻きした弾性カバーリング糸を使用して、４，４／０，０／・・・のように、隣接ウエールに移行して次のコースで元に戻るジャカードの薄地組織で挿入編成し、バック筬Ｌ３に１３０dtexのポリウレタン糸を使用して、２，２／０，０／・・・の経挿入の組織で地編を編成した。そして、前記の地編の生地部とは別に、該生地部の一部に形成する伸縮機能付加部として、７８dtexのポリウレタン糸を芯糸にして、２２dtex／６ｆのナイロン加工糸を２重巻きした弾性カバーリング糸を柄筬に使用し、第１部分では、図１５の（ａ）の組織、すなわち２０，２０／０，０／・・・のように１コース毎に１０ウエール横移動を繰り返す組織にし、第２部分では、図１５の（ｂ）の組織、すなわち２０，２０／０，０／０，０／２０，２０／・・・のように、１０ウエール横移動し、同一ウエールを１コース上がった後、元のウエール位置に１０ウール横移動する組織にし、さらに第３部分では、図１５の（ｃ）の組織、すなわち２０，２０／１８，１８／２０，２０／２０，２０／０，０／０，０／２，２／０，０／・・・のように、１０ウエール横移動し、経方向に３コース上がった後、元のウエール位置に１０ウエール横移動する組織にして、複数の柄筬で８ウエールずつ間隔を空けて挿入して編成した。こうして得られた編地の前記生地部と、伸縮機能付加部の第１部分、第２部分及び第３部分のそれぞれについて、経緯の伸長性試験を行い、伸長率及び緊迫力を測定した。その結果を下記の表１に示す。
【００５９】
（比較例）
比較のために、地編を前記実施例と同じ糸使い同じ組織で編成するとともに、伸縮機能付加部として、前記実施例と同様の弾性カバーリング糸を１枚の地筬にオールインで使用し、２，２／０，０／・・・の経挿入の組織で編成した。こうして得られたレース編地の伸縮機能付加部についても、経緯の伸長性試験を行い、伸長率及び緊迫力を測定した。その結果を下記の表１に併せて示す。
【００６０】
伸縮性試験方法
上記実施例のレース編地の生地部と伸縮機能付加部、及び比較例のレース編地について、それぞれ幅２．５ｃｍ、長さ１６ｃｍに裁断し、得られた試料を、テンシロン型引張試験機に引張間隔１０ｃｍで取り付け、引張、弛緩速度を１０ｃｍ±１ｃｍ／ｍｉｎに設定して引張試験を行った。伸長率は、試料の伸長量÷１０（元の引張間隔）×１００で算出した。また、緊迫力は、８０％伸長を３回繰り返した後の弛緩３０％の値とした。
【表１】
0004468869.tif 000002
【００６１】
上記から明らかなように、本発明による伸縮機能付加部は、伸縮機能を段階的に変化させることができ、特に緯方向の伸長性が大きく、且つ緊迫力も大きくなっている。
【産業上の利用可能性】
【００６２】
本発明の部分伸縮変化ラッセルレース編地は、ショーツ、ガードル、ブラジャー等のファンデーション、スリップ、キャミソール等のランジェリーその他の女性用下着、スポーツウエアやアウター等の各種衣料に好適に利用できる。
【図面の簡単な説明】
【００６３】
【図１】本発明の１実施例の部分伸縮変化ラッセルレース編地を示す一部の略示平面図である。
【図２】同上のレース編地の一部の編組織図である。
【図３】同上の編組織の一部の柄糸導糸用の柄筬を除く各筬の分解した組織図（ラッピング図）である。
【図４】（ａ）（ｂ）のそれぞれ地筬Ｌ３により導糸する弾性糸の挿入形態の他の例を示す組織図である。
【図５】本発明の部分伸縮変化ラッセルレース編地の伸縮機能付加部を１例を示す略示平面図である。
【図６】本発明の部分伸縮変化ラッセルレース編地の伸縮機能付加部の他の例を示す略示平面図である。
【図７】同上の伸縮機能付加部を形成する追加の弾性糸の組織図である。
【図８】本発明の部分伸縮変化ラッセルレース編地の伸縮機能付加部のさらに他の例を示す略示平面図である。
【図９】同上の伸縮機能付加部を形成する追加の弾性糸の組織図である。
【図１０】本発明の部分伸縮変化ラッセルレース編地の伸縮機能付加部のさらに他の例を示す略示平面図である。
【図１１】本発明の部分伸縮変化ラッセルレース編地の伸縮機能付加部のさらに他の例を示す略示平面図である。
【図１２】同上の伸縮機能付加部を形成する追加の弾性糸の組織図である。
【図１３】同上の部分伸縮変化ラッセルレース編地のブラジャーでの使用例を示す略示斜視図である。
【図１４】（ａ）（ｂ）のそれぞれ同上の部分伸縮変化ラッセルレース編地のショーツでの使用例（ａ）とガードルでの使用例（ｂ）を示す略示斜視図である。
【図１５】（ａ）（ｂ）（ｃ）のそれぞれ実施例中の追加の弾性糸の第１部分（ａ）、第２部分（ｂ）及び第３部分（ｃ）の組織を示す図である。
【図１６】従来の伸縮機能付加部を設けたラッセルレース編地の一部の編組織図である。
【符号の説明】
【００６４】
Ａ…レース編地、１…編目形成糸、２…挿入糸、３…地編の弾性糸、Ｙ（Ｙ１，Ｙ２，Ｙ３，Ｙ４，Ｙ５，Ｙ６）…追加の弾性糸、Ｌ１…編目形成糸を導糸する地筬、Ｌ２…挿入糸を導糸する地筬（ジャカード筬）、Ｌ３…弾性糸を導糸する地筬、Ｐ１，Ｐ２，Ｐ３，Ｐ４，Ｐ５，Ｐ６…伸縮機能付加部を形成する追加の弾性糸を導糸する柄筬。
【図１】
0004468869.tif 000003
【図２】
0004468869.tif 000004
【図３】
0004468869.tif 000005
【図４】
0004468869.tif 000006
【図５】
0004468869.tif 000007
【図６】
0004468869.tif 000008
【図７】
0004468869.tif 000009
【図８】
0004468869.tif 000010
【図９】
0004468869.tif 000011
【図１０】
0004468869.tif 000012
【図１１】
0004468869.tif 000013
【図１２】
0004468869.tif 000014
【図１３】
0004468869.tif 000015
【図１４】
0004468869.tif 000016
【図１５】
0004468869.tif 000017
【図１６】
0004468869.tif 000018